(57)【要約】【課題】記録したデータ中に再生ができないプログラムが存在する、また記録装置が認識できないデータが存在し、記録媒体の空き容量が少なく見える。【解決手段】再生を行うために必要なデータが不足・欠損していて明らかに再生ができないと判断可能な場合、データを自動的に削除する。また、記録媒体に記録されたデータの一部に認識できない情報が存在する場合、当該認識できないデータを自動的に削除する。【選択図】図１
2008269694.tif 000002
【特許請求の範囲】
【請求項１】
データを記録する記録媒体を接続する接続部と、
前記接続部に接続された記録媒体へのデータの記録を制御する制御部とを有し、
前記制御部は前記接続部に接続された記録媒体に記録されているデータが利用できるか否かを判断し、当該データが利用できないと判断した場合当該データを削除する記録装置。
【請求項２】
データが記録される記録媒体の接続を受け、
当該接続を受けた記録媒体に記録されているデータが利用できるか否か判断し、
当該データが利用できないと判断した場合は当該データを削除する記録方法。
【請求項３】
記録媒体を着脱可能な記録媒体装着部と、
前記記録媒体装着部に装着された記録媒体からデータを読み出す読出部と、
前記記録媒体装着部に装着された記録媒体に記録されているデータのデータ構造が所定の規則に則しているか判断する判断部と、
前記判断部によって前記所定の規則に反すると判断されたデータ構造を含む、任意の纏まった単位のデータの削除を実行する削除部とを有する記録装置。
【請求項４】
請求項３に記載の記録装置においてさらに、
前記判断部で前記所定の規則に反すると判断されたとき、メッセージ画面を表示する表示部を有する記録装置。
【請求項５】
請求項３に記載の記録装置において、
前記削除部は、前記装着部に記録媒体が装着されたときに前記削除を実行する記録装置。
【請求項６】
請求項３に記載の記録装置においてさらに、
複数の記録媒体間でのデータ転送を行う転送部を有し、
前記削除部は、前記転送部によってデータ転送を行うときに前記削除を実行する記録装置。
【発明の詳細な説明】
【技術分野】
【０００１】
技術分野はコンテンツを記録する記録媒体及び記録方法に関する。
【背景技術】
【０００２】
近年、放送コンテンツをデジタルデータとして記録媒体に記録することが行われている。また、記録媒体として可搬型記録媒体が使用されている。
【０００３】
特許文献１では、「携帯型情報機器および据置型情報機器で記録した可搬型記憶媒体の内容を異なる可搬型記憶媒体に複写し、その可搬型記憶媒体を異なる携帯型情報機器および据置型情報機器で再生するためには、データの種類・規格との互換性を保持した状態で複写する必要がある」ことを課題として、その解決手段として「複写元可搬型記憶媒体から複写先可搬型記憶媒体へデータを複写するだけでなく、所定規則に則りデータを複写することによって、携帯型情報機器および据置型情報機器で再生する際に必要な、データの種類・規格との互換性を保つための煩雑な保存ディレクトリ名やファイル名の変更作業が不要になる。また、複写元可搬型記憶媒体から複写先可搬型記憶媒体へデータを複写する以前から複写先可搬型記憶媒体に保存されていたデータの上書き・消去をすることがなくなるため、データの損失を防ぐことが可能となる」ことが開示されている。
【０００４】
【特許文献１】特開２００７−２６１３９号公報
【発明の開示】
【発明が解決しようとする課題】
【０００５】
デジタル放送では、映像データをデジタルデータとして扱い、映像データを圧縮して送信するＭＰＥＧ（Moving Picture Experts Group）などの画像圧縮技術などが用いられ、受信環境による画像の劣化などの問題が少ないという利点がある。
【０００６】
また、映像データは、通常、ファイルシステムのファイルとして、ＨＤＤ（Hard Disk Drive）などに記録される。ユーザは、録画指定により、番組をファイルとして記録し、その番組を視聴したいときには、そのファイルをＨＤＤより読み出し、再生する。デジタル放送においては、放送局からテレビジョン受信装置には、ＭＰＥＧ２のＴＳ（Transport Stream）により伝送され、ＨＤＤ上では、ＭＰＥＧ２のＴＳあるいはＰＳ（Program Stream）により保存される。
【０００７】
このようにデジタル放送では、番組をファイルとして保存することが容易であるため、そのファイルに様々な情報を付加することにより、ユーザに多様なユーティリティ機能を提供することができる。
【０００８】
ユーティリティ機能の一つとして、デジタル放送を記録する着脱可能な記録媒体の利用が考えられる。ディレクトリ・ファイル構成が規格で定められ、一つの着脱可能な記録媒体を各機器間で相互利用することが可能である。
【０００９】
また、そのようなユーティリティ機能の一つとして、ある記録媒体に記録したコンテンツを別の記録媒体にコピー・移動する機能がある。
【００１０】
例えば、特許文献１には、任意の携帯型情報機器および据置型情報機器で着脱可能な記録媒体に記録した内容を異なる携帯型情報機器および据置型情報機器で再生を可能にする技術が開示されている。
【００１１】
着脱可能な記録媒体においては動作の互換を保つために、ハードウェアの仕様、データを記録する際のフォルダの構成方法や各ファイルのデータ形式、記録再生手順などを規格化している。特許文献１にも示されているように、規格化をすることによって、規格に準拠した装置で記録したコンテンツを、規格に準拠した異なる再生装置で再生することを可能にする。
【００１２】
しかし、例えば一部の情報が欠損しているがために規格に則していないコンテンツが存在する場合、あるいはディレクトリ・フォルダ構成は規格どおりであるが実データが記録されていない場合には、当該コンテンツが再生できないおそれや、記録されているコンテンツの一覧を表示する際に再生不可能なコンテンツの情報を表示して使用者を混乱させてしまうおそれがある。
【００１３】
また、例えば規格において各ベンダの記録装置が独自のデータ形式によってファイルを記録することを許容している場合、この独自のデータは記録を行った記録装置と同じベンダの記録装置でのみ有効であることが考えられる。この場合、他ベンダの記録装置では当該独自のデータは形式が不明なため使用不可能な情報であり、そのデータのサイズ分だけ記録容量が減少しているように見えてしまうおそれがある。
【課題を解決するための手段】
【００１４】
そこで、本発明の一実施の態様は、上記の課題に対して再生を行うために必要なデータが不足・欠損していて明らかに再生ができないと判断可能な場合、データを自動的に削除する。
【００１５】
本発明の他の実施の態様は、記録媒体に記録されたデータの一部に認識できない情報が存在する場合、当該認識できないデータを自動的に削除する。
【発明の効果】
【００１６】
上記手段によれば、記録媒体をより効率よく利用できる。具体的には、例えば記録媒体の記録可能なコンテンツ数を正しく確保し、記録可能な容量を増やすことができる。
【発明を実施するための最良の形態】
【００１７】
図１を用いて本発明の実施形態に係る記録装置の構成例について説明する。
【００１８】
図１に示した記録装置１０は、デジタル放送を受信する受信部１０１、受信した番組を画像・音声データを処理する画像音声信号処理部１０２、記録媒体への記録、記録媒体からの読出しを制御する記録再生制御部１０３、表示部２０へ映像・音声などの表示を制御する表示制御部１０４、リモコン４０を用いたユーザからの指示を受け付けるリモコン受光部１０５、同じくユーザからの指示を受け付けるボタンなどから構成される操作部１０６、記録装置１０の動作を制御する制御部１０７、データを保存するための不揮発性メモリ１０８、データを伝送するシステムバス１０９、記録媒体を接続するスロット１１０を備える。
【００１９】
表示部２０は記録装置１０からの出力をユーザに表示する。表示部２０は例えば液晶ディスプレイ、プラズマディスプレイ等である。
【００２０】
受信部１０１は例えば地上波デジタル放送を受信する場合であれば当該放送を受信するアンテナやチューナである。また、例えばインターネット回線を利用したコンテンツの配信であればインターネット回線を接続するコネクタ、無線ＬＡＮモデム等である。
【００２１】
画像音声信号処理部１０２は例えば受信部１０１で受信したＴＳから任意のチャンネルのトランスポートパケットを分離し、当該トランスポートパケットから映像と音声のＰＥＳ（Packetized Elementary Streamの略。画像ＥＳまたは音声ＥＳを適当な大きさに分割してパケット化したもの。）又はＥＳ（Elementary Streamの略称。符号化された画像・音声のそれぞれのこと。）を分離、抽出する分離・抽出部、当該分離・抽出部で分離、抽出された映像及び／又は音声のＰＥＳ又はＥＳを取出し復号（デコード）する復号部等である。また、復号部はトランスポートパケットに含まれる復号のタイミングを示すＤＴＳ（Decoding Time Stamp）に基づき映像、音声を復号するタイミングを取るようにしてもよいし、トランスポートパケットに含まれる表示のタイミングを示すＰＴＳ（Presentation Time Stamp）に基づき映像、音声を出力するタイミングを取るようにしてもよい。
【００２２】
記録再生制御部１０３、表示制御部１０４、制御部１０７は例えばメモリとＣＰＵ（Central Processing Unit）で実現される。メモリは例えば不揮発性メモリ１０８でもよい。
【００２３】
また、スロット１１０により着脱可能な記録媒体３０を装着する事ができるようになっている。記録媒体３０は取り外しが可能であり、記録装置１０で記録したデータを他の装置で利用することが可能である。
【００２４】
上記着脱可能な記録媒体３０には、例えばテレビ放送をＭＰＥＧ２トランスポートストリーム（以降ＴＳ）形式で記録される。スロット１１０に装着されると、記録再生制御部１０３を介して、記録、再生を行うことができる。例えば制御部１０７が制御して受信部１０１で受信した放送波から画像音声処理部１０２にて記録する番組のデータを抽出し、記録再生制御部１０３を介して記録媒体３０へ記録する。記録したデータを再生する場合は記録再生制御部１０３を介して映像・音声データを記録媒体３０から出力し、画像音声処理部１０２が映像データ、ならびに音声データをデコード処理し、表示制御部１０４が表示部２０に表示する映像を生成する。
【００２５】
リモコン４０は、例えばユーザの当該記録装置に対する記録や再生といった指示を行う。
【００２６】
図２は本発明の各実施形態に係る記録媒体３０におけるディレクトリおよびファイルのデータ構造の一例を表す図である。
【００２７】
図２に示すデータ構造では、ツリー状構造でデータが管理され、ルートディレクトリ２０１に、一つ以上のコンテンツ管理ディレクトリ２０２が配される。
【００２８】
コンテンツ管理ディレクトリ２０２の下には、プログラム情報管理ファイル２０３、プログラム♯ｉ（ｉは整数）のファイル２０４、２０９、オリジナル番組情報用インデックス管理ディレクトリ２１０、装置独自情報２１８のファイル、装置独自情報２１９のディレクトリが配される。
【００２９】
プログラム情報管理ファイル２０３は、複数種類の作成が可能である。２０４などのプログラム情報をリストで管理するオリジナル番組情報リスト、任意のプログラムの任意の部分を複数つなぎ合わせて再生を行うプレイリスト機能に関する、プレイリストの情報をリストで管理するプレイリスト番組情報リストなどがこれに当てはまる。一つの記録媒体に記録可能なプログラム数、プレイリスト数には上限値が規定されていてもよい。録画したコンテンツが無い場合にはこれらのファイルも存在しない。
【００３０】
プログラム♯ｉのファイル２０４、２０９は、ユーザが視聴する番組のデータストリームを格納するファイルであり、そのプログラムの情報を管理するためのストリームディレクトリ２０５と対応付けられている。録画したコンテンツが無い場合には本ファイルは一つも存在しない。
【００３１】
ストリームディレクトリ２０５の下には、アクセス位置情報２０６、プログラム情報２０７、装置独自情報２０８が配される。
【００３２】
アクセス位置情報２０６は、データストリームの再生のための位置情報が格納され、これを利用してプログラム途中からの普通再生や早送りなどの特殊再生をすることができ、例えば記録コンテンツの一定データ量ごとにアクセス位置を記録するファイルが一つあるいは複数存在する。
【００３３】
プログラム情報２０７は、例えば記録した時間や番組の放送されたチャンネルなど、その対応するプログラムの管理情報を格納するファイルである。
【００３４】
装置独自情報２０８は、当該プログラムに対して、ベンダ各社が固有の情報を任意の形式で記録するファイルである。
【００３５】
オリジナル番組情報用インデックス管理ディレクトリ２１０は、各プログラム＃ｉに対するインデックス情報を管理するディレクトリであり、その下に、プログラム数と同数のプログラム♯ｉのディレクトリ２１１が配され、プログラム♯ｉのディレクトリ２１１の下には、インデックスを管理するファイルであるインデックス管理ファイル２１２と装置独自の情報である装置独自情報２１３が配される。
【００３６】
インデックスは、プログラムのストリーム中にマーク付けを行うものであり、このインデックスを用いて、再生時にマーク付けされた場面から再生を再開する機能、例えばチャプタ機能とかスキップ機能などと言われる機能、を実現することができる。
【００３７】
プレイリスト番組情報用インデックス管理ディレクトリ２１４は、各プレイリスト用のインデックス情報を管理するためのディレクトリであり、その下に、生成されたプレイリストの数だけプレイリスト♯ｉのディレクトリ２１５が配され、プレイリスト♯ｉのディレクトリ２１５の下には、インデックス管理ファイル２１６と装置独自情報２１７が配される。
また、装置独自情報２１３、２１７は、ベンダ固有の情報を格納することができる。
【００３８】
装置独自情報２１８のファイル、装置独自情報２１９のディレクトリは、この装置に対して、ベンダがこの装置固有の任意の情報を記録するためのファイルおよびディレクトリである。
【００３９】
図２において各ディレクトリ、ファイル、ストリームディレクトリ等の数は図２に示すものに限定されず、必要に応じて数を増やしてもよい。
【００４０】
本発明の第一の実施形態に係る記録装置について、図３を用いて説明する。
本発明の第一の実施形態に係る記録装置は、装置起動時や録画完了時、着脱可能な記録媒体３０を挿入された際などに、例えば下記に示す手順によりディレクトリ、ファイルの構成を確認する。
【００４１】
図３は、本発明の第一の実施形態に係る記録装置のファイル削除動作例について説明するフローチャートである。当該処理は、例えば記録再生制御部１０３及び／又は制御部１０７によって行われる。また当該処理は、装置起動時や録画完了時、着脱可能な記録媒体３０を挿入された際等に開始される。
【００４２】
ステップ（以降Sと省略する）３０１では変数ｉを初期化してＳ３０２へ進む。
【００４３】
Ｓ３０２ではプログラム＃ｉについて、データストリームが再生可能であるか否かを調査してＳ３０３へ進む。再生可能であるか否かの判断の具体例としては、プログラム＃ｉの再生に必要なデータストリームファイル２０４は存在しているものの、データ容量が０である、ないしは再生開始可能なデータ量が無い場合などは、実際には再生できないため再生不可能と判断してもよい。
【００４４】
別の具体例として、データストリームファイル２０４は正常だけれども、それに付随するアクセス位置情報ファイル２０６が存在しない、あるいはファイル２０６は存在してもデータ量が０である場合、再生不可能と判断してもよい。
【００４５】
また別の具体例として、プログラム情報２０７のデータが一部ないし全部欠損しており、記録した時間などの管理情報が正しく認識できずに再生を開始できないおそれがある場合、再生不可能と判断してもよい。
【００４６】
アクセス位置情報ファイル２０６が無くデータストリームファイル２０４が存在する場合、アクセス位置情報ファイル２０６を利用した特殊再生は不可能であるが、データストリームファイル２０４を先頭から読み出して、以降連続してデータを読み出す再生は可能であり、この場合再生可能とも不可能とも解釈できるため、装置によって再生の可否の基準を設定してもよい。
【００４７】
このように再生可能かどうかを判断するにあたって使用する情報は記録装置の実装方法に依存するため、適宜装置が再生を行う際に必要とする情報について調査を行い、再生不可能を判断してもよい。あるいはどの情報が欠損している場合に再生不可能と判定してコンテンツを削除するかを別途操作メニューからユーザが指定できるようにしてもよい。
【００４８】
例えば特殊再生が不可能であるが普通再生が可能なコンテンツは削除しない、あるいはプログラム情報２０７のデータが一部ないし全部欠損しているが、普通再生、特殊再生は可能であるコンテンツは削除しないといった設定を行ってもよい。
【００４９】
なお、これらの判断基準を総称して所定の規則とも呼ぶ。
【００５０】
Ｓ３０３ではＳ３０２の判定がエラーであればＳ３０４へ進み、エラーでなければＳ３０５へ進む。なお、上述のようにエラーがあるため特殊再生は不可能であるが通常再生は可能であるコンテンツであった場合に、当該装置においてこのようなコンテンツは削除しないと設定した場合は、当該エラーはエラーでないとしてＳ３０５へ進むようにしてもよい。
【００５１】
Ｓ３０４ではプログラム＃ｉに関連する情報を全て削除してＳ３０５へと進む。関連する情報には、プログラム情報管理ファイル内のプログラム＃ｉに関連する情報、プログラム♯ｉのデータストリームを格納するファイル２０４に付随するストリームディレクトリ２０５以下に存在するファイル、オリジナル番組情報用インデックス管理ディレクトリ２１０以下にあるプログラム＃ｉ用のインデックス管理ファイル及び装置独自情報、またプログラム＃ｉがプレイリストに利用されている場合、利用されているプレイリスト用のインデックス管理情報に含まれる該当するインデックス情報、装置独自情報に含まれる該当する情報、などがある。このように所定の単位で削除する。
【００５２】
Ｓ３０５では変数ｉに１を加えＳ３０６へ進む。
Ｓ３０６では全てのプログラムについて確認完了していたら、すなわち変数ｉの値が総プログラム数を上回れば、処理を終了する。終了していなければＳ３０２へと進む。
これによって、明らかに再生ができないプログラムによって記録可能なプログラム数が余計に消費されてしまうのを防ぐ事が可能である。
【００５３】
なお、ディレクトリ、ファイル構造の確認のタイミングは上記に限らず、例えば保守を行う者が専用のメニューと実行画面を設けて実行できるようにするなどしてもよい。
【００５４】
以上に示した実施形態によって記録媒体に記録されたあるコンテンツについて、再生に必要なデータに不完全なデータが含まれる際に、そのコンテンツのデータおよび関連するデータを削除することで記録媒体に記録できるコンテンツ数を正しく確保すると共に、一覧表示に誤って再生できないコンテンツ情報を表示することを回避し、記録媒体の空き容量を増加させることが可能である。
【００５５】
上述したようにどのレベルで情報が欠損している場合に削除するかを指定できる場合には、一覧表示において情報が欠損しているコンテンツを表示するようにしてもよい。その場合、アイコンなどを用いて情報の欠損がわかるような表示を行うようにしてもよい。例えば特殊再生できない場合やコンテンツの番組内容といった詳細情報が表示できないなど、種類によって差異がわかるような表示を行うようにしてもよい。
【００５６】
本発明の第二の実施形態に係る記録装置について、図４から図６を用いて説明する。
図４は、本発明の第二の実施形態に係る記録装置に着脱可能な記録媒体３０が挿入された際等の処理例について説明するフローチャートである。特に、図２に示すフォルダ・ファイル構成を持った規格に則りデータが記録されており、別ベンダの装置で装置独自情報（２０８、２１３、２１７、２１８、２１９）のファイルを含む可能性がある着脱可能な記録媒体を装着した際の処理について説明している。
【００５７】
当該処理は例えば記録再生制御部１０３及び／又は制御部１０７によって行われる。また、ここでは当該処理が着脱可能な記録媒体３０を挿入された際に開始される場合について説明しているが、処理の開始は装置起動時や録画完了時等であってもよい。
Ｓ４０１ではスロット１１０に着脱可能な記録媒体３０が挿入されたことを例えば通電状態の変化などを元に検知し、制御部１０７に情報を伝達してＳ４０２へ進む。
【００５８】
Ｓ４０２では制御部１０７が例えば記録媒体３０のマウント処理（記録媒体３０を当該記録装置に認識させ、操作可能にする処理）などの初期化処理を行う。
Ｓ４０３ではＳ４０２の処理結果が正常終了であれば記録媒体の内容が認識できる状態でＳ４０５へと進む。異常終了であれば、Ｓ４０４へと進む。
【００５９】
Ｓ４０４では初期化処理が正しく終了しなかったことを表示して処理を終了する。マウント処理が異常で終了した場合には、例えばユーザに着脱可能な記録媒体３０のフォーマットを促すなどの対応も可能である。
【００６０】
Ｓ４０５ではディレクトリ、ファイルの検索を行い、他のベンダの記録装置によって記録された装置独自情報や、当該記録装置で利用できない装置独自情報等があるかを検知、すなわち記録装置が読み取り不可能であるファイルがあるかどうかをチェックしＳ４０６へ進む。この装置独自情報は、例えばOther Named Streamとして記録されている。読取不可能であるファイルであるかどうかは、記録媒体の規格により記録装置間で共通に定められている仕様か否かで判断してもよいし、共通で定められている仕様又は当該記録装置で対応している装置独自情報の仕様であるか否かで判断してもよい。この前者の判断基準を第１の基準、後者の基準を第２の基準、総称して第３の基準（所定の基準）とも呼ぶ。
【００６１】
Ｓ４０６では読み取ることができないファイルがある場合にＳ４０７へ、ない場合は処理を終了する。
Ｓ４０７では自動的にそのファイルを削除するかどうかを判定し、削除することになっている場合にはＳ４０８へ進む。削除することになっていない場合には処理を終了する。削除実行の可否は、図５に示されるようにＳ４０７にてユーザに問い合わせるようにしてもよいし、システムの環境変数として持たせて別途ユーザに変更できるようにさせてもよいし、当該記録装置においてあらかじめ設定されていてもよい。
【００６２】
すなわちＳ４０７でユーザに問い合わせる場合には、図５に示されるように画面５０１に問い合わせウィンドウ５０２を表示して、ユーザにリモコン４０や操作部１０６のボタンなどから選択させる。ユーザは情報を削除することに同意すれば５０３の”はい”ボタンを選択し、削除しないのであれば５０４の”いいえ”ボタンを選択する。
【００６３】
Ｓ４０８では不要なファイルを削除してＳ４０９へ進む。また、このとき処理の履歴を不揮発性メモリ１０８上に記録してもよい。
Ｓ４０９ではファイルを削除したことをユーザに伝えるメッセージを表示して処理を終了する。
【００６４】
図６はＳ４０９にて表示するメッセージの一例である。６０１は表示部２０を示し、６０２は表示するメッセージの一例である。
【００６５】
以上に示した実施形態によって着脱可能な記録媒体に記録装置が認識できないデータが存在する場合に、装置に装着した際に該当データを削除することで記録媒体の空き容量を増加させることが可能である。またユーザが不要な情報の削除をしないよう設定することによって再度他の記録装置で着脱可能な記録媒体３０を利用する場合にユーティリティ機能の利用可能性を保つことができる。削除はファイル単位で実行するのが望ましい。ファイル単位未満のデータを残しても再生できず容量が無駄になってしまうからである。
【００６６】
本発明の第三の実施形態に係る記録装置について、図７及び図８を用いて説明する。
図７は本発明の第三の実施形態に係る記録装置のハードウェア構成例を示すブロック図である。図１のブロック図と異なる点は、記録装置に内蔵された記録媒体７０１を備える点と、当該記録媒体７０１を備えたことにより着脱可能な記録媒体３０を接続するスロットの配置が変わった点である（配置が変わったスロットをスロット１１１とする。）。
【００６７】
図８は記録媒体間でファイルを移動・コピー時に認識できないファイルを削除する際の処理例について説明するフローチャートである。当該処理は例えば記録再生制御部１０３及び／又は制御部１０７によって行われる。
【００６８】
第二の実施形態では、着脱可能な記録媒体３０を装着した時点にてユーザが不要な情報を削除するかどうかを決定する機能を持つものであった。本実施形態では第一、第二の実施形態と同じく図２に示すデータ構造のもとで、複数の記録媒体間でファイルの移動・コピーを行う際に不要なファイル削除ができるようにするものである。
【００６９】
本実施形態に係る記録装置の構成では、図７に示す通り記録装置に内蔵された記録媒体７０１を持つ。この場合、記録媒体７０１および着脱可能な記録媒体３０ともに同じ規格に基づいてコンテンツの記録や再生を行うものとし、図２で示したようなファイル・フォルダ構成を夫々が持つものである。このとき記録媒体７０１と記録媒体３０との間でデータの移動・コピーが可能となる。
【００７０】
Ｓ８０１ではユーザが移動またはコピーしたいコンテンツを、制御部１０７の制御により着脱可能な記録媒体３０から内蔵の記録媒体７０１へ記録再生制御部１０３を介して必要なデータの転送を行い、処理終了後Ｓ８０２へ進む。このときデータの移動ないしコピーを試みて失敗した場合、内蔵の記録媒体７０１上に中途半端に追加されたデータは削除してもよい。
【００７１】
Ｓ８０２では制御部１０７でＳ８０１の処理結果を判断し、正常に終了すればＳ８０４へ進み、異常終了していればＳ８０３へと進む。
Ｓ８０３は処理が失敗した旨のメッセージを表示し、処理を終了する。
【００７２】
Ｓ８０４では転送されたデータを検索、解析し他の記録装置によって記録された装置独自情報が有るかを検知、すなわち本実施形態に係る記録装置が読み取り不可能であるファイルがあるかどうかをチェックしＳ８０５へ進む。
以降Ｓ８０５からＳ８０８までの処理はそれぞれＳ４０６からＳ４０９までの処理に等しい。
【００７３】
以上の実施形態では、内蔵の記録媒体７０１と着脱可能な記録媒体３０との間でのファイルの移動・コピーについて説明を行ったが、複数の着脱可能な記録媒体間でのファイルの移動・コピーでも同様のファイル・フォルダ構成、移動・コピー処理にて不要なデータの削除を実現する事が可能である。
【００７４】
以上に示した実施形態によって記録媒体に記録装置が認識できないデータが存在する場合に、記録媒体間のデータの移動・コピー時に該当データを削除することで記録媒体の空き容量を増加させることが可能である。
【００７５】
また、ユーザが不要な情報の削除をしないよう設定することによって再度他ベンダの記録装置で着脱可能な記録媒体３０を利用する場合にユーティリティ機能の利用可能性を保つことができる。
【００７６】
Ｓ８０４からのデータ削除の処理とＳ８０１からのデータ転送の処理とは手順が逆すなわち先に着脱可能な記録媒体３０内で転送対象のデータに対するデータ解析，削除を行った後に内臓の記録媒体７０１へデータの転送を行うという手順であっても同様の効果が得られる。
【００７７】
また、本実施形態に係る記録装置のハードウェア構成においては、第一の実施形態で説明した再生不可能なコンテンツの削除については内蔵の記録媒体７０１に対しても、記録媒体３０に対しても等しく行えるものである。
【００７８】
また、本実施形態に係る記録装置のハードウェア構成において、例えば記録媒体７０１と着脱可能な記録媒体３０との間でのデータ移動中に停電やユーザ操作などが原因で装置の電源が切れ、次回起動時にファイルの修復を行う場合を考える。
【００７９】
データの移動は転送元の記録媒体から転送先の記録媒体に該当するデータをコピーした後に、転送元の記録媒体にある該当するデータを削除する、という手順で行うものである。したがって電源が切れた瞬間には、転送元と転送先の記録媒体両方に同じ内容のデータが存在する。
【００８０】
データ転送開始時に制御部１０７は不揮発性メモリ１０８にいずれの記録媒体のどのコンテンツのデータを移動しているという情報を記録しておく。例えば記録媒体７０１から着脱可能な記録媒体３０へデータ転送中に装置の電源が切れた場合、記録媒体７０１にはコンテンツがそのまま残されており、着脱可能な記録媒体３０にはタイミングによってはコピーが完了したデータのみ記録されており、一部データが欠損した状態のコンテンツが記録されている。
【００８１】
起動時に不揮発性メモリ１０８に情報が記録されていれば、修復処理を行う。第一の実施形態と同様の手順で着脱可能な記録媒体３０の該当するデータを調査し、正常に再生できると判断すれば記録媒体１０７に記録されている該当するデータをＳ３０４と同様の手順で削除する。
一方、正常に再生できないのであれば、着脱可能な記録媒体３０の該当するデータをＳ３０４と同様の手順で削除する。
【００８２】
削除処理が終了したら、不揮発性メモリ１０８に記録した情報を削除して初期化処理を終了する。
これによってデータ移動の中断によって、再生できないデータを記録媒体に残してしまうことや、複数の記録媒体に同じデータが存在することを回避可能である。
【００８３】
なお、図１及び図７に示したブロック図を構成する各ブロックはハードウェアで実現されていてもよいし、その一部をソフトウェアで実現してもよい。
【図面の簡単な説明】
【００８４】
【図１】記録装置の構成の一例を示すブロック図
【図２】ディレクトリ・ファイルの構成の一例を示す模式図
【図３】不要なコンテンツ情報を削除する動作の一例を示すフローチャート
【図４】不要な独自情報を削除する動作の一例を示すフローチャート
【図５】独自情報を削除するかどうかをユーザに問い合わせる場合に表示するメッセージの一例を示す模式図
【図６】独自情報を削除した場合に表示するメッセージの一例を示す模式図
【図７】記録装置の構成の一例を示すブロック図
【図８】不要な独自情報を削除する動作の一例を示すフローチャート
【符号の説明】
【００８５】
１０：記録装置
２０：表示部
３０：着脱可能な記録媒体
４０：リモコン
１０１：受信部
１０２：映像音声信号処理部
１０３：記録再生制御部
１０４：表示制御部
１０５：リモコン受光部
１０６：操作部
１０７：制御部
１０８：不揮発性メモリ
１０９：システムバス
１１０：スロット
７０１：記録媒体
【図１】
2008269694.tif 000003
【図２】
2008269694.tif 000004
【図３】
2008269694.tif 000005
【図４】
2008269694.tif 000006
【図５】
2008269694.tif 000007
【図６】
2008269694.tif 000008
【図７】
2008269694.tif 000009
【図８】
2008269694.tif 000010